(57)【要約】【課題】プラグインユニットを用いて分配器の有無で出力端子数を切り替える構成においては、各出力端子間にレベル差がある場合外観からでは機器の運用状態が容易に判別できない。【解決手段】装置がどういう状態で運用されているかを一目で判別するために、プラグインユニットの挿入状態を検出する機能とプラグインユニットによって設定された出力状態をプラグインユニットの挿抜に連動して機器の筐体外部から識別できる機能を有するという構成を備えたものである【選択図】図１
2006005727.tif 000002
【特許請求の範囲】
【請求項１】
ＴＶ信号を入力する入力端子と、入力したＴＶ信号を分岐する分岐器と、入力したＴＶ信号を増幅する増幅器と、複数端子間の接続関係を規定するプラグインユニットの挿入方向を変更することで出力端子への出力の有無および／または出力レベルの変更を行なうプラグイン受け部端子と、前記プラグインユニットの挿入方向を検出する検出部と、前記検出部により検出されたプラグインユニットの挿入方向に従って、出力端子および／または出力レベルを表示する表示部と、分岐・増幅されたＴＶ信号を出力する複数の出力端子を備えたＣＡＴＶ用屋外型伝送装置。
【請求項２】
ＴＶ信号を入力する入力端子と、入力したＴＶ信号を分岐する分岐器と、入力したＴＶ信号を増幅する増幅器と、複数端子間の接続関係を規定するプラグインユニットの挿入方向を変更することで出力端子への出力の有無および／または出力レベルの変更を行なうプラグイン受け部端子と、直流電源に接続されるＬＥＤと、前記ＬＥＤへの印加電圧を制御するスイッチ部と、分岐・増幅されたＴＶ信号を出力する複数の出力端子を備えたＣＡＴＶ用屋外型伝送装置であって、
前記スイッチ部は、前記プラグインユニットの挿入方向の変更に従い、前記ＬＥＤへの印加電圧を制御することでＬＥＤの点滅を制御することを特徴とするＣＡＴＶ用屋外型伝送装置。
【発明の詳細な説明】
【技術分野】
【０００１】
本発明は、ＣＡＴＶの伝送路に使用される屋外型伝送装置に関するものである。
【背景技術】
【０００２】
現在ＣＡＴＶのインフラとして光同軸ハイブリッド型システムが広く使われてきている。また、ＣＡＴＶは従来のアナログ多チャンネル放送に加えて、各種デジタル放送の再送信や電話、インターネットといったフルサービスへの対応が要求され、１つの光電気変換装置（以下ノードと略す）に対する同軸分配網のブロック（以下セルと略す）内の対象世帯数は減少傾向にあり、１ノード当たりの世帯数に応じて伝送路はノードの高出力化だけでなく、同軸分配網も幹線分岐増幅器と延長増幅器との組合せ或いは延長増幅器のみによる構成といった各種のシステムが構築されている。そのためシステム構成によっては、出力端子数及び出力レベルの切替が可能な機器も提案されてきている。
【０００３】
図３は出力形態が切替可能なＣＡＴＶ用屋外型伝送装置のブロック構成図を示しており、１は入力端子、２は第１の分波フィルタで第１の高域炉波器３，第１の低域炉波器４から構成され、前記入力端子１が第１の高域炉波器３と第１の低域炉波器４の中点に接続されている。５は下り高周波増幅器、５９は下りレベル調整回路で前記第１の高域炉波器３が下り高周波増幅器５を介して下りレベル調整回路５９に接続されている。６０は第４の分波フィルタで第４の高域炉波器６１，第４の低域炉波器６２から構成され、前記下りレベル調整回路５９の出力が第４の高域炉波器６１に接続されている。６３は上り高周波増幅回路、６４は上りレベル調整回路で前記第４の低域炉波器６２が上り高周波増幅器６３，上りレベル調整回路６４を介して前記第１の低域炉波器４に接続されている。次に９はプラグイン受け部であり、１０，１１，１２，１３，１４，１５，１６，１７の８つの端子から構成され、前記第４の高域炉波器６１と第４の低域炉波器６２の中点がプラグイン受け部９の端子１１に接続されている。２１は出力端子Ａ，３４は出力端子Ｂで、それぞれ前記プラグイン受け部９の端子１７と端子１４に接続されている。６５はプラグインユニットであり、６６，６７，６８，６９，７０，７１，７２，７３の８つの端子と分配器７４とで構成され、端子６６〜７３は前記プラグイン受け部９の端子１０〜１７に相対する形でそれぞれ設けられている。次に端子６６〜７３において端子６９は空き端子，端子６８と端子７１は接地端子で、端子６６と端子７２は短絡されている。また端子６７は分配器７４の共通端子に、端子７０と端子７３とはそれぞれ分配器７４の分配端子に接続されている。
【０００４】
以上のように構成されたＣＡＴＶ用屋外型伝送装置において、プラグインユニット６５の端子６６及び端子６８とプラグイン受け部９の端子１０及び端子１２とが相対する形で勘合されると、入力端子１から入った信号は第１の分波フィルタ２に加えられ第１の高域炉波器３にて下り帯域の信号のみが抜き取られ、下り高周波増幅器５で増幅され下りレベル調整回路５９にて規定のレベルに調整された後、第４の高域炉波器６１を介して第４の分波フィルタ６０の第４の高域炉波器６１と第４の低域炉波器６２との中点からプラグイン受け部９の端子１１に供給される。更に端子１１に供給された信号はプラグインユニット６５の端子６７から入力され分配器７４を介してそれぞれ端子７３と端子７０とから出力され、プラグイン受け部９の端子１７及び端子１４を介してそれぞれ出力端子Ａ２１と出力端子Ｂ３４に供給され装置より出力される。
【０００５】
この状態においてプラグインユニット６５を１８０度回転させてプラグイン受け部９に挿入、言い換えるとプラグインユニット６５の端子７３及び端子７１とプラグイン受け部９の端子１０及び端子１２とが相対する形で勘合されると、第４の分波フィルタ６０の第４の高域炉波器６１と第４の低域炉波器６２の中点からプラグイン受け部９の端子１１に供給された信号はプラグインユニット６５の端子７２に入力され、端子６６を介してプラグイン受け部９の端子１７に入力され出力端子Ａ２１に供給されて装置より出力され、出力端子Ｂ３４はプラグインユニット６５の端子６９が空き端子のため開放状態となり信号は出力されない。またこの時出力端子Ａ２１の出力レベルは２分配器有りに比べて理論上３ｄＢ（分配損失＝１０ｌｏｇ２）高くなる（分配損失の実測値に関して、例えば非特許文献１を参照）。
【非特許文献１】（株）テレケーブル新聞社  ＣＳ＆ケーブルテレビ  ２０００年３月号  ６４ページ）
【発明の開示】
【発明が解決しようとする課題】
【０００６】
上記のようなプラグインユニットを用いて分配器の有無によって出力端子数を切り替える構成においては、２出力と１出力の区分が２分配器の挿入損失による出力レベル差のみであり、また、装置の出力側に接続されている同軸ケーブルの有無を確認する事で装置の運用状態を確認することができる。しかしながら、上記のプラグインユニットによる２出力または１出力による高出力化の区別だけでなく、分岐２出力または幹線１出力＋分岐１出力を切替える場合のように出力端子間でレベル差が発生するような場合、装置の出力端子を外から見ただけでは簡単にその装置の運用状態が判断できないという問題点を有していた。
【課題を解決するための手段】
【０００７】
上記問題点を解決するために本発明のＣＡＴＶ用屋外型伝送装置は、装置がどういう状態で運用されているかを一目で判別するために、プラグインユニットの挿入状態を検出する機能とプラグインユニットによって設定された出力状態をプラグインユニットの挿抜に連動して機器の筐体外部から識別できる機能を有するという構成を備えたものである。
【発明の効果】
【０００８】
以上の構成により、プラグインユニットによって出力状態を切り替える機能を有する装置において出力端子間でレベル差が生じる場合に、プラグインユニットで設定される運用状態を検出して発光素子などを用いてその状態を表す事で、機器の運用状態を地上から目視で確認する事ができ、現場での機器管理を容易に行う事ができる。
【発明を実施するための最良の形態】
【０００９】
以下に、本発明の請求項１に記載された発明の実施の形態について、図１，図２を用いて説明する。
【００１０】
図１は本発明の一実施例におけるＣＡＴＶ用屋外型伝送装置のブロック構成図を示すもので、図１において、１は入力端子，２は第１の分波フィルタ，３は第１の高域炉波器，４は第１の低域炉波器，５は下り高周波増幅器，９はプラグイン受け部，２１は出力端子Ａ，３４は出力端子Ｂで以上は図３の構成と同じものである。
【００１１】
６は分岐器，７は第１の下りレベル調整回路，８は下り出力用高周波増幅器で前記下り高周波増幅器５が分岐器６，第１の下りレベル調整回路７，下り出力用高周波増幅器８を介して前記プラグイン受け部９の端子１１接続されている。１８は第２の分波フィルタで第２の高域炉波器１９と第２の低域炉波器２０から構成され、前記プラグイン受け部９の端子１７が第２の高域炉波器１９に、前記出力端子Ａ２１が高域炉波器１９と低域炉波器２０の中点にそれぞれ接続されている。２２は第２の下りレベル調整回路，２３は終端抵抗，２４は切替スイッチで２回路２接点の回路構成をしている。符号２５，２６，２７，２８，２９，３０は２回路２接点の各接点端子であり、前記分岐器６の分岐端子が第２の下りレベル調整回路２２を介して切替スイッチ２４の端子２７に、終端抵抗２３が切替スイッチ２４の端子２５にそれぞれ接続されている。また切替スイッチ２４の端子２９と端子３０は短絡されている。３１は第３の分波フィルタで第３の高域炉波器３２と第３の低域炉波器３３とで構成され、前記切替スイッチ２４の端子２８が高域炉波器３２に、前記出力端子Ｂ３４が高域炉波器３２と低域炉波器３３との中点に接続されている。３５は第１の上りレベル調整回路，３６は混合器で、前記第２の分波フィルタ１８の低域炉波器２０が第１の上りレベル調整回路３５を介して、また前記第３の分波フィルタ３１の低域炉波器３３がそれぞれ混合器３６の混合用端子に接続されている。３７は上り高周波増幅器，３８は第２の上りレベル調整回路で、混合器３６の共通端子が上り高周波増幅器３７，第２の上りレベル調整回路３８を介して前記第１の分波フィルタ２の低域炉波器４に接続されている。
【００１２】
３９は直流電圧印加端子，４０，４１はバイアス抵抗，４２はベース抵抗，４３は電流制限抵抗，４４は発光ダイオード（以下ＬＥＤと略す），４５はトランジスタで、直流電圧印加端子３９はバイアス抵抗４０と電流制限抵抗４３に接続されていて、バイアス抵抗４０のもう一方の端子はプラグイン受け部９の端子１０と電流制限抵抗４３のもう一方の端子はＬＥＤ４４のアノードにそれぞれ接続されている。バイアス抵抗４１とベース抵抗４２の中点は前記プラグイン受け部９の端子１６に接続されていて、バイアス抵抗４１のもう一方の端子は接地されベース抵抗４２のもう一方の端子はトランジスタ４５のベースに接続されている。またＬＥＤ４４のカソードはトランジスタ４５のコレクタに接続され、トランジスタ４５のエミッタは接地されている。
【００１３】
４６はプラグインユニットで、符号４７，４８，４９，５０，５１，５２，５３，５４は各端子である。５５は分配器，５６はコンデンサで分配器５５の共通端子はプラグインユニット４６の端子４８に、分配端子は端子５１とコンデンサ５６を介して端子５４に接続されている。また端子４７と端子５３は短絡されている。
【００１４】
以上のように構成されたＣＡＴＶ用屋外型伝送装置において、以下その動作を説明する。例えば、プラグインユニット４６の端子４７及び端子４９とプラグイン受け部９の端子１０及び端子１２とが相対する形で勘合され、切替スイッチ２４の接点が端子２５と端子２７及び端子２６と端子２８とが短絡するように設定されたとすると、入力端子１から入った信号は第１の分波フィルタ２に加えられ第１の高域炉波器３にて下り帯域の信号のみが抜き取られ、下り高周波増幅器５で増幅され分岐器６，第１の下りレベル調整回路７を通って下り出力用高周波増幅器８にて増幅されてプラグイン受け部９の端子１１に供給される。更に端子１１に供給された信号はプラグインユニット４６の端子４８から入力され分配器５５にて２分配され一方は端子５１から、もう一方はコンデンサ５６を介して端子５４から出力される。プラグインユニット４６の端子５１から出力された信号は、プラグイン受け部９の端子１４から入力され切替スイッチ２４の端子２６，端子２８，第３の高域炉波器３２を介して第３の分波フィルタ３１の第３の高域炉波器３２と第３の低域炉波器３３の中点から出力端子Ｂ３４に供給され装置より出力される。またプラグインユニット４６の端子５４から出力された信号は、プラグイン受け部９の端子１７から入力され第２の高域炉波器１９を介して第２の分波フィルタ１８の第２の高域炉波器１９と第２の低域炉波器２０の中点から出力端子Ａ２１に供給され装置より出力される。この時出力端子Ｂ３４の出力は、第１の下りレベル調整回路７にて規定のレベルになるように調整され、出力端子Ａ２１の出力も第２と第３の高域炉波器１９，３２の挿入損失に若干の差はあるがほぼ同じレベルとなっている。一方分岐器６の分岐端子から出力された信号は第２の下りレベル調整回路２２，切替スイッチ２４の端子２５，２７を介して終端抵抗２３にて接地される。
【００１５】
また直流電圧印加端子３９からの直流電圧＋Ｂは、バイアス抵抗４０，プラグイン受け部９の端子１０，プラグインユニット４６の端子４７及び端子５３，プラグイン受け部９の端子１６を介してバイアス抵抗４１に供給される。これにより直流電圧＋Ｂがバイアス抵抗４０と４１とで分圧されベース抵抗４２を介してトランジスタ４５に印加されトランジスタ４５がオンとなり電流制限抵抗４３，ＬＥＤ４４を経由してトランジスタ４５に電流が流れて、ＬＥＤ４４が点灯する。
【００１６】
この状態においてプラグインユニット４６を１８０度回転させてプラグイン受け部９に挿入、言い換えるとプラグインユニット４６の端子５４及び端子５２とプラグイン受け部９の端子１０及び端子１２とが相対する形で勘合され、更に切替スイッチ２４の接点が端子２７と端子２９及び端子２８と端子３０とが短絡するように設定されたとすると、下り出力用高周波増幅器８からプラグイン受け部９の端子１１供給された信号はプラグインユニット４６の端子５３に入力され、端子４７を介してプラグイン受け部９の端子１７に入力され第２の高域炉波器１９を介して第２の分波フィルタ１８の第２の高域炉波器１９と第２の低域炉波器２０の中点から出力端子Ａ２１に供給され装置より出力される。一方分岐器６の分岐端子からの信号は第２の下りレベル調整回路２２，切替スイッチ２４の端子２７，端子２９，端子３０，端子２８を介して第３の高域炉波器３２に入力され、第３の分波フィルタ３１の第３の高域炉波器３２と第３の低域炉波器３２の中点から出力端子Ｂ３４に供給され装置より出力される。この時それぞれの出力端子からの出力レベルは、出力端子Ａ２１はプラグインユニットの２分配器有りに比べて理論上３ｄＢ高くなり（挿入損失の差は除く）、出力端子Ｂ３４は出力端子Ａ２１に比べて下り用の出力増幅器が１段しかない分、レベルは低く設定される（出力端子Ａ＞出力端子Ｂ）。
【００１７】
また直流電圧印加端子３９からの直流電圧＋Ｂは、バイアス抵抗４０，プラグイン受け部９の端子１０を介してプラグインユニット４６の端子５４に供給されるが、コンデンサ５５にてＤＣカットされる。従ってトランジスタ４５のベース電位は接地状態となってトランジスタ４５はオフとなりＬＥＤ４４は消灯状態となる。
【００１８】
図２は前述のＣＡＴＶ用屋外型伝送装置の全体図を示すものである。図２において、５７は筐体、５８は表示用窓で、前述のブロック構成が筐体５７の中に組み込まれ、ＬＥＤ４４が表示用窓５８から見えるように配置されている。
【００１９】
以上のように本発明によれば、プラグインユニットによって設定された出力状態を検出してトランジスタをオン，オフしＬＥＤを点灯，消灯させる事で、機器の筐体外部から簡単に運用状態を確認することができる。
【００２０】
なお、本実施の形態の形態において、プラグインユニット４６およびプラグイン受け部９は８つの端子を有している。また、プラグインユニット４６においてはプラグインユニット用端子４７と５３を短絡させ、プラグインユニット用端子４８，５１，５４は分配器５５，コンデンサ５６を介して相互に接続させ、ほかの端子は空き端子としている。しかし、本実施の形態は、本発明の１実施例であって、この形態に限られるものではない。例えば、プラグインユニット４６およびプラグイン受け部９は８つ以上の端子を有していてもよいし、８つ以下の端子数であってもよい。空き端子がなくてもよく、これら端子が他の回路構成の基礎となっていてもよい。
【００２１】
また、プラグインユニット４６およびプラグイン受け部９の端子の構成についても本実施の形態に限られるものではない。例えば、プラグインユニット４６において、プラグインユニット用端子５０と５３を短絡させ、プラグインユニット用端子４８，４９，５１が分配器５５を介して相互に接続され、プラグインユニット用端子５１と分配器５５の間にコンデンサ５６が取付けられていてもよい。この場合、プラグインユニット用端子４９は、プラグイン受け部端子１２を介して切替スイッチ２４の接点端子２６に接続される。また、プラグインユニット用端子５１はプラグイン受け部端子１４を介して第２の分波フィルタ１８の第２の高域炉波器１９に接続される。さらに、プラグインユニット用端子５０はプラグイン受け部端子１３を介してバイアス抵抗４０に接続される。プラグインユニット４６を１８０度回転させると、プラグインユニット用端子５１はプラグイン受け部端子１３を介してバイアス抵抗４０と接続されることになり、プラグインユニット用端子４９はプラグイン受け部端子１５と、プラグインユニット用端子４８はプラグイン受け部端子１６を介してバイアス抵抗４１と接続されることになる。また、プラグインユニット用端子５３はプラグイン受け部端子１１を介して下り出力用高周波増幅器８と、プラグインユニット用端子５０はプラグイン受け部端子１４を介して第２の分波フィルタ１８の高域炉波器１９と接続されることになる。
【００２２】
さらに、本実施の形態では、プラグインユニット４６によって設定された出力状態を、ＬＥＤ４４の点灯，消灯により筐体外部から簡単に確認できるようにしたが、他にも、トランジスタ４５のオン，オフを利用して筐体外部から確認可能であれば、どのようなものであってもよい。例えば、電球のオン，オフを利用してもよい。
【００２３】
また、本実施の形態では、プラグインユニット４６を含む回路構成から出力状態を確認可能に構成したが、他にも、プラグインユニット４６の向きを検知できる手段であれば、本実施の形態以外のものも利用可能である。例えば、プラグインユニット４６のケース上にプラグインユニット４６の方向の確認が可能な金属部を設け、これをプラグイン受け側に設けたセンサーで検知することでプラグインユニット４６の方向を検知、これに基づいてＬＥＤ４４や電球のオン，オフを制御することも可能である。この場合、液晶等の表示を利用することで、よりきめ細やかな動作状態の表示を実現することも可能である。他にも、プラグインユニット４６に重力センサーを組み込んだり、プラグインユニットの一部に切欠き部を設け、この切欠き部にプラグイン受け側に設けたばね付勢される回動係止部が係止されるか否かによりプラグインユニット４６の方向を検知することも可能である。
【産業上の利用可能性】
【００２４】
本発明のＣＡＴＶ用屋外型伝送装置は、プラグインユニットによって出力状態を切り替える機能を有する装置において、プラグインユニットの運用状態を検出して発光素子などを用いて機器の筐体外部から確認できる機能を有しており、現場における機器の運用管理に適用する事ができる。
【図面の簡単な説明】
【００２５】
【図１】本発明の実施の形態におけるＣＡＴＶ用屋外型伝送装置のブロック構成図
【図２】ＣＡＴＶ用屋外型伝送装置の全体図
【図３】従来のＣＡＴＶ用屋外型伝送装置のブロック構成図
【符号の説明】
【００２６】
１    入力端子
２    第１の分波フィルタ
３    第１の高域炉波器
４    第１の低域炉波器
５    下り高周波増幅器
６    分岐器
７    第１の下りレベル調整回路
８    下り出力用高周波増幅器
９    プラグイン受け部
１０〜１７    プラグイン受け部の端子
１８    第２の分波フィルタ
１９    第２の高域炉波器
２０    第２の低域炉波器
２１    出力端子Ａ
２２    第２の下りレベル調整回路
２３    終端抵抗
２４    切替スイッチ
２５〜３０    切替スイッチの端子
３１    第３の分波フィルタ
３２    第３の高域炉波器
３３    第３の低域炉波器
３４    出力端子Ｂ
３５    第１の上りレベル調整回路
３６    混合器
３７    上り高周波増幅器
３８    直流電圧印加端子
４０，４１    バイアス抵抗
４２    ベース抵抗
４３    電流制限抵抗
４４    発光ダイオード
４５    トランジスタ
４６    プラグインユニット
４７〜５４    プラグインユニットの端子
５５    分配器
５６    コンデンサ
【図１】
2006005727.tif 000003
【図２】
2006005727.tif 000004
【図３】
2006005727.tif 000005